(57)【要約】【課題】筐体本体の外側からの操作だけで筐体本体から映像表示手段収納ケースが外されるのを防止する。【解決手段】映像表示手段収納ケース１３０は、前記背面パネル１１１の上下方向の幅に渡り延出した形状に形成され、正面側に前記映像表示手段１２０を収納する凹部を有し、当該凹部の上側内面の係止部が前記フック部１１６に係止した状態で前記映像表示手段１２０の表示画面を前記背面パネル１１１の前記開口１０２に対向する位置に配置するとともに、前記フック部１１６をネジ止め固定したネジ１１７、１１８、１１９のネジ頭の少なくとも一部を背面側から覆う。映像表示手段収納ケース１３０の下端側は、筐体本体１００の内側からネジ止めにより取り付けられている。【選択図】  図７
2007202994.tif 000002
【特許請求の範囲】
【請求項１】
正面側及び背面側に開口を有する筐体本体と、
前記筐体本体の内部の少なくとも正面側及び背面側の前記開口に連通する位置に設けられ、景品を配置可能な景品配置部と、
前記筐体本体の正面側の前記開口に開閉可能に設けられた開閉扉と、
板状に形成され、その板面を貫通する窓部を有し、前記筐体本体の正面側の前記開口に設けられた背面パネルと、
前記筐体本体の正面側に設けられた操作部と、
前記操作部に対する操作に応答して、前記景品配置部に配置された景品を取得する景品取得部と、
前記筐体本体の背面側の前記開口の下辺に固定して設けられ、前記背面パネルの下端を挟み込む下側枠部と、
前記筐体本体の背面側の前記開口の上辺に固定して設けられ、前記背面パネルの正面の上端及びその近傍に配置する正面上側枠部と、
前記筐体本体の内側からの固定により前記筐体本体の背面側の前記開口の上辺に取り付けられ、前記背面パネルの背面の上端及びその近傍に配置する背面上側枠部と、
フック状に形成され、前記背面上側枠部に設けられたフック部と、
表示画面に映像を表示する映像表示手段と、
前記背面パネルの上下方向の幅に渡り延出した形状に形成され、正面側に前記映像表示手段を収納する収納部を有し、当該収納部の上側内面に前記フック部に係止する係止部を有し、当該係止部が前記フック部に係止した状態で前記映像表示手段の前記表示画面を前記背面パネルの前記窓部に対向する位置に配置する映像表示手段収納ケースと、
前記映像表示手段収納ケースの下側に固定して設けられ、前記筐体本体の内側から前記筐体本体の背面側の前記開口より下側に固定する止め部と、
を備えることを特徴する景品取得ゲーム装置。
【請求項２】
金属により箱形に形成され、正面側及び背面側に方形の開口を有する筐体本体と、
前記筐体本体の内部の少なくとも正面側及び背面側の前記開口に連通する位置に設けられ、景品を配置可能な景品配置部と、
透明な材質により形成され、前記筐体本体の正面側の前記開口に開閉可能な状態で設けられた開閉扉と、
前記開閉扉に対して施錠を行う施錠手段と、
木材で板状に形成され、その板面を貫通する窓部を有し、前記筐体本体の正面側の前記開口に設けられる背面パネルと、
前記筐体本体の正面側に設けられた操作部と、
前記操作部に対する操作に応答して、前記景品配置部に配置された景品を取得する景品取得部と、
前記筐体本体の背面側の前記開口の下辺に固定して設けられ、前記背面パネルの下端を挟み込む下側枠部と、
前記筐体本体の背面側の前記開口の上辺に固定して設けられ、前記背面パネルの正面の上端及びその近傍に配置する正面上側枠部と、
前記筐体本体の内側からネジ止めにより前記筐体本体の背面側の前記開口の上辺に取り付けられ、前記背面パネルの背面の上端及びその近傍に配置する背面上側枠部と、
前記筐体本体の背面側から前記背面上側枠部を前記筐体本体に仮止めすることを可能する仮止め手段と、
フック状に形成され、前記背面上側枠部に設けられたフック部と、
表示画面に映像を表示する映像表示手段と、
前記背面パネルの上下方向の幅に渡り延出した形状に形成され、正面側に前記映像表示手段を収納する凹部を有し、当該凹部の上側内面に前記フック部に係止する係止部を有し、当該係止部が前記フック部に係止した状態で前記映像表示手段の前記表示画面を前記背面パネルの前記窓部に対向する位置に配置する映像表示手段収納ケースと、
前記映像表示手段収納ケースの下側に固定して設けられ、前記筐体本体の内側から前記筐体本体の背面側の前記開口より下側にネジ止めにより取り付けられるネジ止め部と、
を備えることを特徴する景品取得ゲーム装置。
【請求項３】
金属により箱形に形成され、正面側及び背面側に方形の開口を有する筐体本体と、
前記筐体本体の内部の少なくとも正面側及び背面側の前記開口に連通する位置に設けられ、景品を配置可能な景品配置部と、
透明な材質により形成され、前記筐体本体の正面側の前記開口に開閉可能な状態で設けられた開閉扉と、
開閉扉に対して施錠を行う施錠手段と、
木材で板状に形成され、その板面を貫通する窓部を有し、前記筐体本体の正面側の前記開口に設けられる背面パネルと、
前記筐体本体の正面側に設けられた操作部と、
前記操作部に対する操作に応答して、前記景品配置部に配置された景品を取得する景品取得部と、
前記筐体本体の背面側の前記開口の下辺に固定して設けられ、前記背面パネルの下端を挟み込む下側枠部と、
前記筐体本体の背面側の前記開口の上辺に固定して設けられ、前記背面パネルの正面の上端及びその近傍に配置する正面上側枠部と、
前記筐体本体の内側からネジ止めにより前記筐体本体の背面側の前記開口の上辺に取り付けられ、前記背面パネルの背面の上端及びその近傍に配置する背面上側枠部と、
前記筐体本体の背面側から前記背面上側枠部を前記筐体本体に仮止めすることを可能する仮止め手段と、
フック状に形成され、前記筐体本体に前記背面上側枠部と共にネジにより共締めされるフック部と、
表示画面に映像を表示する映像表示手段と、
前記背面パネルの上下方向の幅に渡り延出した形状に形成され、正面側に前記映像表示手段を収納する凹部を有し、当該凹部の上側内面に前記フック部に係止する係止部を有し、当該係止部が前記フック部に係止した状態で前記映像表示手段の前記表示画面を前記背面パネルの前記窓部に対向する位置に配置するとともに、前記フック部をネジ止め固定したネジのネジ頭の少なくとも一部を背面側から覆う映像表示手段収納ケースと、
前記映像表示手段収納ケースの下側に固定して設けられ、前記筐体本体の内側から前記筐体本体の背面側の前記開口より下側にネジ止めにより取り付けられるネジ止め部と、
を備えることを特徴する景品取得ゲーム装置。
【請求項４】
請求項１乃至３のいずれかに記載の景品取得ゲーム装置であって、
前記景品取得部がプログラムによって予め定められた手順に従って作動したかを検出する検出手段と、
前記景品取得部の作動状況に応じた複数の画像情報を記憶する記憶手段と、
前記操作部からの操作信号に応答して前記景品取得部の動作を制御する制御手段とを備え、
前記制御手段は、前記検出手段からの検出信号に基づいて選択した画像情報を記憶手段から読み出し、前記表示画面に画像を表示させる処理を実行することを特徴とする景品取得ゲーム装置。
【発明の詳細な説明】
【技術分野】
【０００１】
本発明は、景品を取得するための取得手段を備えた景品取得ゲーム装置に関する。
【背景技術】
【０００２】
従来、ゲームセンター等の遊戯施設に設置される業務用のアーケードゲーム装置として、景品を取得するための取得手段を備えた景品取得ゲーム装置が実用化されている。
【０００３】
従来の景品取得ゲーム装置は、筐体の下部に設けられた基台と、前記筐体の前記基台より上側に設けられマスコット人形、アクセサリー、玩具等の景品を収納する収容部と、収容部内の景品を把持部で挟持して移動させる取得手段とを備えている。遊戯者は、景品取得ゲーム装置で遊戯を行う際に、操作部を操作して景品の置かれた位置に把持部を移動させ、目的の景品を把持部で挟持した状態で吊り下げ、その景品を投入口に落下させて外部に取り出せる状態にしている。
【０００４】
ところで、従来の景品取得ゲーム装置で遊戯を行う遊戯者は、景品収窓部内の景品自体やその広告板を見ることで、ゲーム開始意欲を動機付けられていた。このことから、従来の景品取得ゲーム装置には、景品収容部に収納された景品の確認を容易にしたり、景品に関する情報を表示したりする等の目的から映像表示手段を設けることが望まれている。このことに対応して、例えば特許文献１に示されているように、取得手段のクレーンに映像を表示する表示モニタを設ける技術や、例えば特許文献２に示されているように、筐体を構成する枠体の正面側中央部に景品に関する情報を表示する表示手段を設ける技術が提案されている。
【０００５】
【特許文献１】特開平７−１３２１８６号公報
【特許文献２】特開２００１−３００１２８号公報
【発明の開示】
【発明が解決しようとする課題】
【０００６】
ところで、上述した従来の遊技機に用いられる景品取得ゲーム装置では、景品の形状や景品取得部のアーム及び爪の状態から、遊戯者が景品を取得できるイメージを想定できず、景品を取得できないと判断される場合が多々あり、遊戯者に対するゲーム開始意欲の動機付けが十分とはいえなかった。そこで、景品情報、景品取得ゲームの遊び方(操作方法)、景品を取得した場面等を、映像表示手段に映像表示して、遊戯者に強い興味を持たせることも考えられるが、従来より提案されている景品取得ゲーム装置の映像表示手段は、取得手段のクレーンや枠体の正面側中央部に設けることから、大画面化を行うと、デザイン上の問題や、遊戯者が景品を直接視認する場合の阻害要因になる等の問題が発生する。このことに対応し、映像表示手段を収納する映像表示手段収納ケースを景品取得ゲーム装置の筐体の背面に突出した状態で筐体の外側からネジ止めにより取り付ける方法が考えられるが、このような景品取得ゲーム装置をデパートやアミューズメント施設に設置すると、店員による管理が行き届かない場合があり、店員が気づかないうちに工具を使って映像表示手段収納ケースのネジ止めが外され、映像表示手段や景品配置部に配置された景品が奪われる可能性が高い。
【０００７】
本発明は、こうした従来の問題に鑑みてなされたものであり、映像表示手段を収納する映像表示手段収納ケースを筐体本体の背面から突出した状態で取り付けるとともに、筐体本体の外側からの操作だけで筐体本体から映像表示手段収納ケースが外されるのを防止できる景品取得ゲーム装置を提供することを目的としている。
【課題を解決するための手段】
【０００８】
上述した課題を解決するため、請求項１に記載の発明は、正面側及び背面側に開口を有する筐体本体と、前記筐体本体の内部の少なくとも正面側及び背面側の前記開口に連通する位置に設けられ、景品を配置可能な景品配置部と、前記筐体本体の正面側の前記開口に開閉可能に設けられた開閉扉と、板状に形成され、その板面を貫通する窓部を有し、前記筐体本体の正面側の前記開口に設けられた背面パネルと、前記筐体本体の正面側に設けられた操作部と、前記操作部に対する操作に応答して、前記景品配置部に配置された景品を取得する景品取得部と、前記筐体本体の背面側の前記開口の下辺に固定して設けられ、前記背面パネルの下端を挟み込む下側枠部と、前記筐体本体の背面側の前記開口の上辺に固定して設けられ、前記背面パネルの正面の上端及びその近傍に配置する正面上側枠部と、前記筐体本体の内側からの固定により前記筐体本体の背面側の前記開口の上辺に取り付けられ、前記背面パネルの背面の上端及びその近傍に配置する背面上側枠部と、フック状に形成され、前記背面上側枠部に設けられたフック部と、表示画面に映像を表示する映像表示手段と、前記背面パネルの上下方向の幅に渡り延出した形状に形成され、正面側に前記映像表示手段を収納する収納部を有し、当該収納部の上側内面に前記フック部に係止する係止部を有し、当該係止部が前記フック部に係止した状態で前記映像表示手段の前記表示画面を前記背面パネルの前記窓部に対向する位置に配置する映像表示手段収納ケースと、前記映像表示手段収納ケースの下側に固定して設けられ、前記筐体本体の内側から前記筐体本体の背面側の前記開口より下側に固定する止め部と、を備えることを特徴する。
【０００９】
請求項２に記載の発明は、景品取得ゲーム装置であって、金属により箱形に形成され、正面側及び背面側に方形の開口を有する筐体本体と、前記筐体本体の内部の少なくとも正面側及び背面側の前記開口に連通する位置に設けられ、景品を配置可能な景品配置部と、透明な材質により形成され、前記筐体本体の正面側の前記開口に開閉可能な状態で設けられた開閉扉と、開閉扉に対して施錠を行う施錠手段と、木材で板状に形成され、その板面を貫通する窓部を有し、前記筐体本体の正面側の前記開口に設けられる背面パネルと、前記筐体本体の正面側に設けられた操作部と、前記操作部に対する操作に応答して、前記景品配置部に配置された景品を取得する景品取得部と、前記筐体本体の背面側の前記開口の下辺に固定して設けられ、前記背面パネルの下端を挟み込む下側枠部と、前記筐体本体の背面側の前記開口の上辺に固定して設けられ、前記背面パネルの正面の上端及びその近傍に配置する正面上側枠部と、前記筐体本体の内側からネジ止めにより前記筐体本体の背面側の前記開口の上辺に取り付けられ、前記背面パネルの背面の上端及びその近傍に配置する背面上側枠部と、前記筐体本体の背面側から前記背面上側枠部を前記筐体本体に仮止めすることを可能する仮止め手段と、フック状に形成され、前記背面上側枠部に設けられたフック部と、表示画面に映像を表示する映像表示手段と、前記背面パネルの上下方向の幅に渡り延出した形状に形成され、正面側に前記映像表示手段を収納する凹部を有し、当該凹部の上側内面に前記フック部に係止する係止部を有し、当該係止部が前記フック部に係止した状態で前記映像表示手段の前記表示画面を前記背面パネルの前記窓部に対向する位置に配置する映像表示手段収納ケースと、前記映像表示手段収納ケースの下側に固定して設けられ、前記筐体本体の内側から前記筐体本体の背面側の前記開口より下側にネジ止めにより取り付けられるネジ止め部とを備えることを特徴する。
【００１０】
請求項３に記載の発明は、景品取得ゲーム装置であって、金属により箱形に形成され、正面側及び背面側に方形の開口を有する筐体本体と、前記筐体本体の内部の少なくとも正面側及び背面側の前記開口に連通する位置に設けられ、景品を配置可能な景品配置部と、透明な材質により形成され、前記筐体本体の正面側の前記開口に開閉可能な状態で設けられた開閉扉と、開閉扉に対して施錠を行う施錠手段と、木材で板状に形成され、その板面を貫通する窓部を有し、前記筐体本体の正面側の前記開口に設けられる背面パネルと、前記筐体本体の正面側に設けられた操作部と、前記操作部に対する操作に応答して、前記景品配置部に配置された景品を取得する景品取得部と、前記筐体本体の背面側の前記開口の下辺に固定して設けられ、前記背面パネルの下端を挟み込む下側枠部と、前記筐体本体の背面側の前記開口の上辺に固定して設けられ、前記背面パネルの正面の上端及びその近傍に配置する正面上側枠部と、前記筐体本体の内側からネジ止めにより前記筐体本体の背面側の前記開口の上辺に取り付けられ、前記背面パネルの背面の上端及びその近傍に配置する背面上側枠部と、前記筐体本体の背面側から前記背面上側枠部を前記筐体本体に仮止めすることを可能する仮止め手段と、フック状に形成され、前記筐体本体に前記背面上側枠部と共にネジにより共締めされるフック部と、表示画面に映像を表示する映像表示手段と、前記背面パネルの上下方向の幅に渡り延出した形状に形成され、正面側に前記映像表示手段を収納する凹部を有し、当該凹部の上側内面に前記フック部に係止する係止部を有し、当該係止部が前記フック部に係止した状態で前記映像表示手段の前記表示画面を前記背面パネルの前記窓部に対向する位置に配置するとともに、前記フック部をネジ止め固定したネジのネジ頭の少なくとも一部を背面側から覆う映像表示手段収納ケースと、前記映像表示手段収納ケースの下側に固定して設けられ、前記筐体本体の内側から前記筐体本体の背面側の前記開口より下側にネジ止めにより取り付けられるネジ止め部とを備えることを特徴する。
【００１１】
請求項４に記載の発明は、請求項１乃至３のいずれかに記載の景品取得ゲーム装置であって、前記景品取得部がプログラムによって予め定められた手順に従って作動したかを検出する検出手段と、前記景品取得部の作動状況に応じた複数の画像情報を記憶する記憶手段と、前記操作部からの操作信号に応答して前記景品取得部の動作を制御する制御手段とを備え、前記制御手段は、前記検出手段からの検出信号に基づいて選択した画像情報を記憶手段から読み出し、前記表示画面に画像を表示させる処理を実行することを特徴とする。
【００１２】
請求項１に記載の景品取得ゲーム装置によれば、映像表示手段を収納する映像表示手段収納ケースは、景品取得ゲーム装置が完全に組み立てられた状態で筐体本体から取り外す場合、筐体本体の内側から固定を解除しなければならないので、映像表示手段を収納する映像表示手段収納ケースを筐体本体の背面に突出した状態で取り付けるとともに、筐体本体の外側からの操作だけで筐体本体から映像表示手段収納ケースが外されるのを防止できる。
【００１３】
請求項２に記載の景品取得ゲーム装置によれば、映像表示手段を収納する映像表示手段収納ケースは、景品取得ゲーム装置が完全に組み立てられた状態で筐体本体から取り外す場合、筐体本体の内側からネジ止めを解除しなければならないので、映像表示手段を収納する映像表示手段収納ケースを筐体本体の背面に突出した状態でネジ止めにより取り付けるとともに、筐体本体の外側からの操作だけで筐体本体から映像表示手段収納ケースが外されるのを防止でき、これに加えて、組み立ての際に、仮止め手段により前記筐体本体の背面側から前記背面上側枠部を前記筐体本体に仮止めすることで、背面上側枠部の筐体本体の内側からネジ止めを容易に行える。
【００１４】
請求項３に記載の景品取得ゲーム装置によれば、請求項２に記載の景品取得ゲーム装置と同様の効果が得られるとともに、前記背面上側枠部とフック部を別体で構成したので、背面上側枠部とフック部を容易に形成することができる。
【００１５】
請求項４に記載の景品取得ゲーム装置によれば、請求項１乃至３のいずれかに記載の景品取得ゲーム装置と同様の効果が得られるとともに、前記景品取得部がプログラムによって予め定められた手順に従って作動したか否かの検出結果に基づき、前記景品取得部の作動状況に応じた画像情報を前記表示画面に表示できる。
【発明の効果】
【００１６】
本発明の景品取得ゲーム装置によれば、映像表示手段を収納する映像表示手段収納ケースを筐体本体の背面に突出した状態でネジ止めにより取り付けるとともに、筐体本体の外側からの操作だけで筐体本体から映像表示手段収納ケースが外されるのを防止できるので、景品や映像表示手段の盗難を防止すること等が可能になる。
【発明を実施するための最良の形態】
【００１７】
以下、本発明に係る景品取得ゲーム装置の好適な一実施形態を図面を参照して説明する。尚、図１は、景品取得ゲーム装置１の正面図、図２は、景品取得ゲーム装置１の右側面図、図３は、景品取得ゲーム装置１の背面図、図４は、景品取得ゲーム装置１の上面図である。
【００１８】
図１において、景品取得ゲーム装置１は、直方体の基台２の上に箱型の収容部３を設けた構造になっている。この収容部３の前面３１及び側面３２、３３（図２参照）は、収容部３に収容された景品４を目視することができるように透明な樹脂またはガラスの板状部材によって構成されている。また、収容部３の背面３４（図３参照）は、装飾の施された板状部材から構成されている。このような収容部３の前面３１には、店舗の店員が、景品を収容部３に収容するための観音開き方式の透明な扉３５が設けられており、キャラクタ等のぬいぐるみや、雑貨などの景品４を収容することができる。また、収容部３の底部には、景品４を受けるための筒状の景品投入部３６が垂直方向に設けられている。
【００１９】
さらに、収容部３の内部上面には、景品取得部５が吊り下げられている。この景品取得部５は、内部上面から鉛直方向に吊り下げられた支持部５１と、その下端に設けられた把持部５２とから構成されている。より詳細に説明すると、収容部３の内部上面には、景品取得部５が走行するための左右移動用固定レール３７と、前後移動用可動レール３８とが設けられている。支持部５１は、景品取得部用基台３９を介して前後移動用可動レール３８に配置されている。左右移動用固定レール３７、前後移動用可動レール３８及び景品取得部用基台３９は、景品取得部５をＸ、Ｙ、Ｚ方向に移動させる移動部１０になっている。
【００２０】
即ち、支持部５１は、前後移動用可動レール３８上であって、かつ前後移動用可動レール３８が左右移動用固定レール３７に従って移動する範囲内を走行可能に構成されており、かつ上下方向にも伸縮可能に構成されている。景品取得部５は、左右移動用固定レール３７上を走行することによって収容部３内部を左右方向（Ｘ方向）に移動し、前後移動用可動レール３８上を走行することによって前後方向（Ｙ方向）に移動することができる。把持部５２は、景品４を把持するために蟹足状の２本のアーム５３が開閉可能に設けられている。この２本のアーム５３は、通常は閉じた状態となっているが、景品を掴む時に遊戯者の操作に従って開くように構成されている。
【００２１】
一方、基台２には、遊戯者がプレイするための操作卓２１（図４参照）が設けられている。この操作卓２１には、レバー２２と釦スイッチ２３が設けられている。レバー２２は、景品取得部５を所望の景品４に対応する水平方向（ＸＹ方向）の位置に移動及び停止させるための移動操作手段になっている。釦スイッチ２３は、景品取得部５を降下させ、アーム５３を動作させて景品４を把持ませるための把持操作手段になっている。尚、本実施形態では、景品取得部５を移動させる移動操作手段としてレバー２２を用いているが、移動操作手段としては釦スイッチでもよく、釦スイッチを移動操作手段と把持操作手段に兼用してもよい。
【００２２】
また、操作卓２１の正面下方には、プレイの際に遊戯者がコインを投入するコイン投入口２４が設けられている。さらに、基台２の正面には、景品の取出口２５が設けられている。この取出口２５は、景品４が通れるように景品投入部３６へ通じている。また、図３に示すように、基台２の背面側には、施錠手段２６ａを有する開閉扉２６が設けられている。この開閉扉２６を開けた内部には、店舗の管理者が景品取得ゲーム装置の各種設定を行うための操作ボタン、操作ダイヤル、及び液晶パネル等のインタフェース（図示せず）が設けられている。店舗の管理者が前記操作ボタン等を操作することにより各種設定を行うと、基台２内部に設けられたコンピュータが、その設定に基づいて景品取得ゲーム装置１を制御する。また、景品取得ゲーム装置１には、後述の液晶モニタ１２１及びこの液晶モニタ１２１に映像を表示させる映像再生装置１２２が設けられている。
【００２３】
次に、以上のような構成を有する景品取得ゲーム装置１の動作の概要を説明する。まず、初期状態では、図１に示す景品取得部５は景品投入部３６の直上の位置（ホームポジション）に位置しており、遊戯者がコイン投入口２４にコインを投入すると、ゲーム可能状態となる。そして、遊戯者がレバー２２を左右方向に操作し、駆動源が作動して景品取得部５が左右方向に移動する。そして、遊戯者は、所望の景品に対応する左右方向の位置に景品取得部５が停止するようにレバー２２を離す。遊戯者がレバー２２を離すと、景品取得部５が停止する。次に、遊戯者がレバー２２を前後方向に操作すると、景品取得部５が前後方向に移動する。遊戯者が所望する位置に景品取得部５が停止するようにレバー２２を離すと、景品取得部５は一旦停止する。この後、遊戯者が把持操作手段（例えば釦スイッチ）２３を押すと、景品取得部５は、二本のアーム５３を開いた後、支持部５１を下方に伸ばす。景品取得部５は、把持部５２が収容部３下部に配置された景品４の位置にくると、アーム５３を閉じる（景品の把持動作）。この後、景品取得部５は、アーム５３を閉じた状態で支持部５１を上方に縮ませ、景品投入部３６の直上の位置（ホームポジション）まで移動する。そして、景品取得部５が、景品投入部３６の上方でアーム５３を開く（景品の解放動作）と、ゲームが終了する。
【００２４】
従って、景品取得部５の把持動作にて景品４を掴むことができた場合には、景品４はアーム５３によって掴まれた状態で景品投入部３６まで運ばれた後、景品の解放動作にて景品投入部３６内に落下する。そして、遊戯者は、景品取出口２５から景品４を取り出すことになる。
【００２５】
尚、前述の説明では、遊戯者がレバー２２を左右方向と前後方向で個別に操作する例で説明しているが、本実施形態の景品取得ゲーム装置１は、遊戯者がレバー２２を前後左右に操作することで、一定時間、景品取得部５を前後左右に自由に動かすことが可能になっている。景品取得ゲーム装置１側が見れば、制御部が、一定時間、レバー２２の操作入力を受け付け、景品取得部５を作動させる制御を行う。
【００２６】
以下、景品取得ゲーム装置１の回路構成について説明する。
【００２７】
図５は、景品取得ゲーム装置１の回路構成を示すブロック図、図６は景品取得ゲーム装置１の回路動作を示すフローチャートである。
【００２８】
図５において、景品取得ゲーム装置１は、ＣＰＵ（Central Processing Unit）、ＲＯＭ(Read Only Memory)及びＲＡＭ(Random Access Memory)からなるマイクロコンピュータ構成の制御部６０と、例えば、不揮発生メモリからなる記憶部６１と、ネットワークを介して外部機器と通信するためのインタフェースである通信部６２と、現在時刻をカウントするタイマ６３とを有している。
【００２９】
そして制御部６０には、例えば中に遊戯者により操作卓２１（図１参照）のレバー２２（図２参照）または釦スイッチ２３が操作されたときに、これに応じた操作信号Ａ１が操作卓２１から与えられる。  
移動部１０には、左右移動用固定レール３７に対して前後移動用可動レール３８を左右方向（Ｘ方向）に移動させるモータ１０Ｘと、前後移動用可動レール３８に対して景品取得部用基台３９を前後方向（Ｙ方向）に移動させるモータ１０Ｙと、景品取得部用基台３９に対して把持部５２を上下方向（Ｚ方向）に移動させるモータ１０Ｚを備えている。把持部５２は、アーム５３を動作させるモータ２０を備えている。
【００３０】
また移動部１０には、把持部５２の左右方向の位置を検出する左右位置検出手段、前後方向の位置を検出する前後位置検出手段及び上下方向の位置を検出する上下位置検出手段として、例えば把持部５２のＸ方向、Ｙ方向及びＺ方向の移動限界位置にそれぞれリミットスイッチ６４が設けられている。そしてこれらリミットスイッチ６４は、それぞれ把持部５２が対応するＸ方向、Ｙ方向又はＺ方向の移動限界位置まで移動したときに、これに応じた移動限界検出信号Ａ２を制御部６０に送出するようになされている。
【００３１】
景品取得部５の把持部５２には、当該把持部５２が掴んだ景品が落下したか否かを検出する検出スイッチ６５が設けられている。
【００３２】
検出スイッチ６５は、前記景品取得部５がプログラムによって予め定められた手順に従って作動したか、即ちエラーが発生しなかったかを検出し検出信号Ａ３を出力する検出手段となっている。
【００３３】
尚、エラーを検出する検出手段としては、図１に示した景品投入部３６から取出し口２５までの景品落下経路に例えば赤外線センサ等のセンサを設けて景品が正常に落下したか否かを検出するものも適用可能である。
【００３４】
また、エラーを検出する検出手段としては、リミットスイッチ６４等の移動部１０の機械的動作を検出した検出信号から移動部１０のＸ方向、Ｙ方向、Ｚ方向の移動メカが適切に作動したか否かを検出するものも適用可能である。
【００３５】
一方、制御部６０は、無線や有線のデータ通信により映像再生装置１２２を制御して液晶モニタ１２１に映像を表示させることが可能になっている。
【００３６】
尚、映像再生装置１２２は制御部６０から独立して動作させることも可能である。
【００３７】
記憶部６１には、前記景品取得部５の作動状況に応じた複数の画像情報を記憶する記憶手段（例えば、フラッシュメモリ等の記憶媒体）が設けられている。尚、前記記憶手段は、景品取得ゲーム装置１の本体側の記憶部６１に限らず、映像再生装置１２２側に設けてもよい。
【００３８】
制御部６０は、検出スイッチ６５からの検出信号Ａ３に応答して前記景品取得部５の動作を制御する制御手段となっている。
【００３９】
また、制御部６０は、前記検出手段からの操作信号Ａ３に基づいて選択した画像情報を記憶手段から読み出し、前記表示画面に画像を表示させる処理を実行する。より具体的に説明すると、制御部６０は、検出信号Ａ３が景品の把持を示した後、把持部５２が開いた場合において検出スイッチ６５からの検出信号Ａ３が景品の把持を示したままだった場合、景品のひっかかりエラーが発生したと判断して、景品のひっかかりエラーの画像情報及び店員の呼び出しを遊戯者に要請する画像情報を記憶手段から読み出し、映像再生装置１２２を制御して液晶モニタ１２１に読み出した画像情報を映像表示させる。
【００４０】
尚、本実施形態は、エラーを検出する検出手段として、当該把持部５２が掴んだ景品が落下したか否かを検出する検出スイッチ６５が設けた、把持部５２が完全に開いたか等、他のエラーを検出する検出手段を用いた構成にし、このエラーに対応した情報を液晶モニタ１２１に表示する構成としてもよい。
【００４１】
以下、制御部６０の動作について図６を参照して説明する。
【００４２】
制御部６０は、予め設定された１プレイ分の所定枚数のコインがコイン投入口２４(図１)に投入されたことを認識すると、この景品取得ゲーム実行処理手段ＲＴ１をステップＳ１において開始し、続くステップＳ２において、操作卓２１(図１)のレバー２２が操作されるのを待ち受ける。
【００４３】
そして制御部６０は、やがて遊戯者がレバー２２を操作したことを当該レバー２２からの操作信号Ａ１に基づいて認識すると、ステップＳ３に進んで、移動部１０(図２)のＸ方向用モータ１０ＸまたはＹ方向用モータ１０Ｙを作動させて、初期状態において景品投入部３６ (図１)の真上のホームポジションに位置していた把持部５２の左右方向(Ｘ方向) または前後方向(Ｙ方向)への移動を開始させる。この後、ステップＳ４において、対応するリミットスイッチ６４からの移動限界検出信号Ａ２に基づいて、把持部５２が左右方向または前後方向の移動限界位置にまで移動し終えたかを判断し、これに対応してＸ方向用モータ１０ＸやＹ方向用モータ１０Ｙの停止制御を行う。
【００４４】
制御部６０は、続くステップＳ４において、操作卓２１(図１)のスイッチ２３が操作されるのを待ち受ける。
【００４５】
そして、制御部６０は、やがてステップＳ４において肯定結果を得ると、この後ステップＳ５に進んで、把持部５２のモータ２０を作動させて当該把持部５２のアーム５３を解放させる。
【００４６】
また、制御部６０は、この後ステップＳ６に進んで移動部１０のＺ方向用モータ１０Ｚを作動させて把持部５２の下降を介しさせ、さらにこの後ステップＳ７に進んで、把持部５２が下方向の移動限界位置にまで移動し終えるのを待ち受ける。
【００４７】
そして制御部６０は、やがてリミットスイッチ６４からの移動限界検出信号Ａ２に基づき、把持部５２が下方向の移動限界位置にまで移動し終えたことを認識すると、ステップＳ８に進んで、移動部１０のＺ方向用モータ１０Ｚを停止させて把持部５２の下降を終了させ、この後ステップＳ９に進んで、把持部５２のモータ２０を作動させることによりアーム５３を閉じさせる。
【００４８】
続いて制御部６０は、ステップＳ１０に進んで、移動部１０のＺ方向用モータ１０Ｚを作動させて把持部５２の上昇を開始させ、この後ステップＳ１１に進んで、把持部５２が上方向の移動限界位置までに移動し終えるのを待ち受ける。
【００４９】
そして制御部６０は、リミットスイッチ６４からの移動限界検出信号Ａ２に基づいて、把持部５２が上方向の移動限界位置にまで移動し終えたことを確認すると、ステップＳ１２に進んで、移動部１０のＺ方向用モータ１０Ｚを停止させて把持部５２の上昇を終了させ、この後ステップＳ１３に進んで、移動部１０のＸ方向用モータ１０のＸ及びＹ方向用モータ１０Ｙをそれぞれ作動させることにより、把持部５２を景品投入ガイド１７上の元のホームポジション位置にまで移動させる。
【００５０】
さらに制御部６０は、この後ステップＳ１４に進んで、把持部５２のモータ２０を作動させて当該把持部５２を開放させた後に再び閉じさせ(景品４の解放動作)、この後ステップＳ１５に進んでこの景品取得ゲーム実行処理手段ＲＴ１を終了する。
【００５１】
ここで、ステップＳ９において、アーム５３が閉じた際に景品４を掴むことができた場合には、景品４はステップＳ１４において、景品投入部３６内に落下し、遊戯者によって景品取出口２５から景品４を取り出せる状態となる。
【００５２】
尚、エラーを検出する検出手段として景品落下経路にセンサを設けて景品が正常に落下したか否かを検出するように景品取得ゲーム装置１を構成した場合には、ステップＳ１４において、制御部６０は、アーム開閉センサによりアーム５３が適切に開閉作動したことを検出した後に、景品落下経路のセンサから検出信号を所定時間内に受信しなければ、景品が落下経路上にひっかかっているものと判断して、そのエラーに対応する画像情報を選択し、映像再生装置１２２に画像情報を送信して、液晶モニタ１２１に景品が落下経路上にひっかかっていることを示す画像を表示させる。
【００５３】
また、エラーを検出する検出手段として移動部１０の機械的動作を検出した検出信号から移動部１０のＸ方向、Ｙ方向、Ｚ方向の移動メカが適切に作動したか否かを検出するように景品取得ゲーム装置１を構成した場合には、図６に示したフローチャートのそれぞれのステップにおいて、リミットスイッチ６４の検出信号等、移動部１０の機械的動作を検出した検出信号を制御部６０が正常に受信できなかった場合に、移動部１０のＸ方向、Ｙ方向、Ｚ方向の移動メカ及び把持部５２のいずれにエラーが存在するかを判定し、映像再生装置１２２にそのエラーに該当する画像情報を送信して液晶モニタ１２１にそのエラーの内容を示す画像を表示させる。
【００５４】
また、上述の景品が正常に落下したか否かを検出するように構成した場合と移動部１０の移動メカが適切に作動したか否かを検出するように構成した場合において、液晶モニタ１２１に示す画像は、発生したエラーの種類毎に、何がどのように不備（故障、景品づまりなど）があるのか、文章や絵で表示するとともに、景品取得ゲーム装置１を管理する管理会社の電話番号を表示するようにしてもよい。また、この構成において、制御部６０は、エラーが発生した場合、エラーの種類を判定し、通信部６２を制御し、ネットワークを介して、ゲーム筐体情報、エラー情報、エラー発生時刻情報等を送信する処理を実行するように構成してもよい。
【００５５】
以下、本実施形態の要部となる景品取得ゲーム装置１の組み立て構造について説明する。
【００５６】
図７は景品取得ゲーム装置１の背面側から見た分解斜視図、図８は筐体本体１００の開口１０２の上側及びその周囲の分解斜視図、図９は、筐体本体１００に背面パネル１１１及び背面上側枠部１１５を仮固定した状態を示す説明図、図１０は、筐体本体１００にフック部１１６を取り付けた状態を示す斜視図、図１１は映像表示手段収納ケース１３０の分解斜視図、図１２は筐体本体１００に対する映像表示手段収納ケース１３０の取り付け方法を示す説明図、図１３は景品取得ゲーム装置１の組み立てた状態の背面側から見た斜視図、図１４は背面パネル１１１の下端及びその周辺部を示す断面図、図１５は背面パネル１１１の上端側及びその周辺部を示す断面図である。
【００５７】
尚、図７乃至図１５を用いた説明において、各部材の左側及び右側はそれぞれ景品取得ゲーム装置１の正面側から見た場合の左側及び右側を示しており、背面側から見た図７乃至図１０、図１２、図１３では、図面に向かって左側が各部材の右側になっている。
【００５８】
図７において、基台２の外装及び収容部３の枠体は、鉄等の金属により箱形に形成され、正面側及び背面側に方形の開口１０１、１０２を有する筐体本体１００となっている。
【００５９】
前記筐体本体１００の内部には、少なくとも正面側及び背面側の前記開口１０１、１０２に連通する位置に設けられ、景品４を配置可能な景品配置部１０３が設けられている。
【００６０】
開閉扉３５は、透明な材質により形成され、前記筐体本体１００の正面側の前記開口１０１に開閉可能な状態で設けられる。
【００６１】
前記筐体本体１００の左右側面にも開口１０５、１０６が設けられ、開口１０５、１０６には透明板１０７、１０８が取り付けられている。
【００６２】
開閉扉３５は、当該開閉扉３５に対して施錠を行う施錠手段１０４（図１参照）が設けられている。
【００６３】
背面パネル１１１は、木材で板状に形成され、その板面を貫通する窓部１１２を有し、前記筐体本体１００の正面側の前記開口１０２に設けられる。
【００６４】
前記筐体本体１００の正面側には、図１に示すレバー２２と釦スイッチ２３が操作部として設けられている。
【００６５】
景品取得部５は、前記操作部に対する操作に応答して、前記景品配置部１０３内の景品４を取得する。
【００６６】
前記筐体本体１００の背面側の前記開口１０２の下辺には、前記背面パネル１１１の下端を挟み込む下側枠部１１３（図１４参照）が固定して設けられている。
【００６７】
前記筐体本体１００の背面側の前記開口１０２の上辺には、前記背面パネル１１１の正面の上端及びその近傍に配置する正面上側枠部１１４が固定して設けられている。正面上側枠部１１４は、前記筐体本体１００の背面上側パネル１０９の下端から正面方向に向けて延出する水平面部１１０（図１５参照）を介して開口１０２の奥方に形成されている。
【００６８】
前記筐体本体１００の背面側の前記開口１０２の上辺には、前記背面パネル１１１の背面の上端及びその近傍に配置する背面上側枠部１１５が前記筐体本体１００の内側からネジ止めによる固定により取り付けられるようになっている。
【００６９】
ネジ１１７は、前記筐体本体１００の背面側から前記背面上側枠部１１５を筐体本体１００に仮止めすることを可能する仮止め手段となっている。
【００７０】
フック部１１６は、フック状に形成され、前記筐体本体１００に前記背面上側枠部１１５と共にネジ１１７により共締めされる。
【００７１】
液晶モニタ１２１及び映像再生装置１２２は、表示画面１２３（図１１参照）に映像を表示する映像表示手段１２０となっている。
【００７２】
映像表示手段収納ケース１３０は、上側収納ケース１３１と下側収納ケース１３２をネジ止めにより組み立てた構成になっている。
【００７３】
映像表示手段収納ケース１３０は、前記背面パネル１１１の上下方向の幅に渡り延出した形状に形成され、正面側に前記映像表示手段１２０を収納する凹部１４０（図１１参照）を有し、当該凹部１４０の上側内面に前記フック部１１６に係止する係止部を有し、当該係止部が前記フック部１１６に係止した状態で前記映像表示手段１２０の表示画面１２３（図１１参照）を前記背面パネル１１１の前記開口１０２に対向する位置に配置するとともに、前記フック部１１６をネジ止め固定したネジ１１７、１１８、１１９のネジ頭の少なくとも一部を背面側から覆う。
【００７４】
前記映像表示手段収納ケース１３０の下側には、前記筐体本体１００の内側から前記筐体本体１００の背面側の開口１０２より下側にネジ１４１、１４２によるネジ止めにより取り付けられるネジ止め部（図１１の逆フランジ５３８）が固定して設けられている。
【００７５】
前記筐体本体１００の背面側の前記開口１０２の左辺には、左側枠部１６１が固定して設けられている。左側枠部１６１には、ネジ１６３とワッシャ１６４によって前記背面パネル１１１の左側が固定される。
【００７６】
前記筐体本体１００の背面側の前記開口１０２の右辺には、右側枠部１６２が固定して設けられている。右側枠部１６２は、ネジ１６５とワッシャ１６６によって前記背面パネル１１１の右側が固定される。
【００７７】
背面パネル１１１の窓部１１２の正面側には、透明の保護パネル１７１が４組のネジ１８１、１８２、１８３、１８４とワッシャ１９１、１９２、１９３、１９４によってネジ止め固定されている。
【００７８】
次に、図８を用いて、背面パネル１１１、正面上側枠部１１４、背面上側枠部１１５及びフック部１１６について詳細に説明する。
【００７９】
図８において、背面パネル１１１の上端近傍には、左側、中央、右側の貫通孔２０１、２０２、２０３が形成されている。
【００８０】
正面上側枠部１１４は、背面パネル１１１の左側及び右側の貫通孔２０１、２０３に対応する位置に、ネジ３０１、３０２のネジ部が挿入される挿入孔３１１、３１３が形成されている。
【００８１】
また、正面上側枠部１１４は、背面パネル１１１の中央の貫通孔２０２に対応する位置に、セルスペーサ３１２が背面側に突出して形成されている。
【００８２】
背面上側枠部１１５は、垂直板状部３２４の上側に折り曲げ部３２５を介して水平板状部３２６を一体形成したものである。
【００８３】
水平板状部３２６は垂直板状部３２４に対して正面上側枠部１１４側に形成されている。
【００８４】
垂直板状部３２４は、背面パネル１１１の左側及び右側の貫通孔２０１、２０３に対応する位置に、セルスペーサ３２１、３２３が正面側に突出して形成されている。セルスペーサ３２１、３２３のネジ孔にはネジ３０１、３０２のネジ部が螺入される。
【００８５】
また、垂直板状部３２４は、背面パネル１１１の中央の貫通孔２０２に対応する位置に、ネジ１１７のネジ部が挿入される貫通孔３３１が形成されている。
【００８６】
垂直板状部３２４は、貫通孔３３１から所定間隔を置いて左脇及び右脇にそれぞれネジ１１８、１１９のネジ部が螺入されるネジ孔３３２、３３３が形成されている。
【００８７】
フック部１１６は、垂直板状部３４１の上側に折り曲げ部３４２を介して水平板状部３４３を一体形成し、垂直板状部３４１の下側に湾曲部３４４を形成したものである。
【００８８】
垂直板状部３４１は、背面上側枠部１１５の貫通孔３３１及びネジ孔３３２、３３３に対応する位置に貫通孔３５１、３５２、３５３が形成されている。
【００８９】
次に、図１１及び図１２を用いて、基台２の背面構造、映像表示手段収納ケース１３０、背面パネル１１１、保護パネル１７１について詳細に説明する。
【００９０】
図１２において、保護パネル１７１の四隅近傍には、ネジ１８１、１８２、１８３、１８４のネジ部がそれぞれ挿入される貫通孔４１１、４１２、４１３、４１４が形成されている。背面パネル１１１の窓部１１２の縁には、ネジ１８１、１８２、１８３、１８４のネジ部がそれぞれ挿入される貫通孔４２１、４２２、４２３、４２４が保護パネル１７１の貫通孔４１１、４１２、４１３、４１４に対応して形成されている。基台２の背面パネル４３０の上辺近傍には、ネジ１４１、１４２のネジ部が挿入される貫通孔４３１、４３２が形成されている。
【００９１】
図１１において、上側収納ケース１３１の正面側には、液晶モニタ１２１が収納される収納部５０１が形成されている。下側収納ケース１３２の正面側には、映像再生装置１２２が収納される収納部５０２が形成されている。下側収納ケース１３２は、ネジ５０３、５０４によって上側収納ケース１３１にネジ止め固定される。
【００９２】
液晶モニタ１２１及び映像再生装置１２２は、表示画面１２３に映像を表示する映像表示手段１２０となっている。下側収納ケース１３２には、映像再生装置１２２を露出させるための扉５１０（図１２参照）が設けられている。
【００９３】
映像再生装置１２２は、扉５１０（図１２参照）を開放した状態で着脱式の記憶媒体（フラッシュメモリ等）を交換することで、ゲームに関係する各種映像を液晶モニタ１２１の表示画面１２３に表示させることが可能である。表示画面１２３に表示する映像の例としては、レバー２２（図１参照），スイッチ２３（図１参照）の操作方法、景品４を取得に成功する課程を再現する映像等がある。
【００９４】
上側収納ケース１３１の正面側開口には、上下左右の逆フランジ部５１１、５１２、５１３、５１４が形成されている。上側収納ケース１３１の上側の逆フランジ部５１１及びその内側は、前記フック部１１６（図８参照）に係止する係止部となっている。
【００９５】
左の逆フランジ部５１３には、ネジ１８１、１８３（図１２参照）のネジ部が螺入されるネジ孔５２１、５２３が形成されている。右の逆フランジ部５１４には、ネジ１８２、１８４（図１２参照）のネジ部が螺入されるネジ孔５２２、５２４が形成されている。上側収納ケース１３１の下面の板状部５１５には、液晶モニタ１２１の電源コード５０５を通すとともに、映像再生装置１２２からの映像信号出力ケーブル５０６を通すスリット５２５が形成されている。底面板５１５のスリット５２５の左右両脇にはネジ５０３、５０４のネジ部が螺入されるネジ孔５２７、５２８が形成されている。
【００９６】
下側収納ケース１３２の左右の板状部５３１、５３２の上端には、逆フランジ５３３、５３４が形成されている。逆フランジ５３３、５３４には、ネジ５０３、５０４のネジ部が挿入されるネジ孔５３５、５３６が形成されている。
【００９７】
下側収納ケース１３２の下面の板状部５３７の正面側には、逆フランジ５３８が形成されている。逆フランジ５３８には、ネジ１４１、１４２（図１２参照）のネジ部が挿入されるネジ孔５４１、５４２が形成されている。下面の板状部５３７の正面側には、液晶モニタ１２１の電源コード５０５を通すとともに、映像再生装置１２２からの電源コード５０７を通す貫通孔５３９が形成されている。
【００９８】
図１２に示すように、下側収納ケース１３２の背面には、施錠可能な扉５１０が設けられている。
【００９９】
景品取得ゲーム装置１の背面側の組み立て方法を詳細に説明する。
【０１００】
作業者は、先ず、図７において、前記筐体本体１００の背面側の前記開口１０２の下辺の下側枠部１１３（図１４参照）に、前記背面パネル１１１の下端側を挿入し、次に、図８に示す背面パネル１１１の上側に形成された貫通孔２０１、３０３に背面上側枠部１１５に形成されたセルスペーサ３２１、３２３を挿入し、背面パネル１１１の上側に形成された貫通孔２０２に正面上側枠部１１４に形成されたセルスペーサ３１２を挿入し、ネジ１１７を背面上側枠部１１５に形成された貫通孔３３１に挿入し、さらにネジ１１７を正面上側枠部１１４のセルスペーサ３１２のネジ孔３１２ａに螺入し締め付けることで、図９に示すように、筐体本体１００に背面パネル１１１と背面上側枠部１１５を仮固定する。この後、作業者は、例えば扉３５（図１参照）を開放し、前記筐体本体１００の内側からネジ３０１、３０２を正面上側枠部１１４の貫通孔３１１、３１３に挿入し、背面上側枠部１１５に形成されたセルスペーサ３２１、３２３のネジ孔に螺入することで筐体本体１００に背面パネル１１１と背面上側枠部１１５を完全に固定する。この後、図７に示す前記筐体本体１００の背面側の前記開口１０２の左側枠部１６１には、ネジ１６３とワッシャ１６４によって前記背面パネル１１１の左側を固定し、前記筐体本体１００の背面側の前記開口１０２の右側枠部１６２には、ネジ１６５とワッシャ１６６によって前記背面パネル１１１の右側を固定する。
【０１０１】
次に、図９に示すネジ１１７を反時計回りに回転させ、背面上側枠部１１５から外し、図１０に示すように、背面上側枠部１１５と背面上側パネル１０９の間の隙間に、フック部１１６の水平板状部３４３（図１５参照）を挿入し、ネジ１１７を背面側からフック部１１６の貫通孔３５１（図８参照）に挿入し、背面上側枠部１１５の貫通孔３３１（図８参照）に挿入し、正面上側枠部１１４（図８参照）のセルスペーサ３１２（図８参照）のネジ孔３１２ａ（図１５参照）に螺入し締め付ける。続いて、ネジ１１８、１１９をフック部１１６の貫通孔３５２、３５３（図８参照）に挿入し、背面上側枠部１１５のネジ孔３３２、３３３（図８参照）に螺入することで、正面上側枠部１１４（図８参照）及び背面上側枠部１１５にフック部１１６をネジ止め固定する。
【０１０２】
次に、図１１に示すように、上側収納ケース１３１の収納部５０１には液晶モニタ１２１を収納し、下側収納ケース１３２の収納部５０２には映像再生装置１２２を収納する。
【０１０３】
次に、下側収納ケース１３２の逆フランジ５３３、５３４のネジ孔５３５、５３６にネジ５０３、５０４のネジ部を下側収納ケース１３２の内側から挿入し、上側収納ケース１３１の底面板５１５のネジ孔５２７、５２８にネジ５０３、５０４のネジ部を螺入して締め付けることで、映像表示手段収納ケース１３０を一体に組み立てる。この後、上側収納ケース１３１の上側の逆フランジ部５１１を図１２に示すフック部１１６の湾曲部３４４の窪みに挿入し、図１５に示すように、フック部１１６に上側収納ケース１３１の上側を係止させる。
【０１０４】
続いて、図１２において、背面パネル４３０の扉２６を開き、基台２の内側からネジ１４１、１４２のネジ部を背面パネル４３０の貫通孔４３１、４３２に挿入し、ネジ１４１、１４２のネジ部を下側収納ケース１３２の逆フランジ５３８（図１０参照）のネジ孔５４１、５４２（図１０参照）に螺入することで筐体本体１００の背面パネル４３０に映像表示手段収納ケース１３０の下方を固定する。この状態で扉２６を閉塞し施錠手段２６ａで施錠する。
【０１０５】
この後、作業者は、ネジ１８１、１８２、１８３、１８４のネジ部にワッシャ１９１、１９２、１９３、１９４を取り付け、開放した扉３５（図１参照）より、保護パネル１７１の貫通孔４１１、４１２、４１３、４１４にネジ１８１、１８２、１８３、１８４のネジ部を挿入し、背面パネル１１１の貫通孔４２１、４２２、４２３、４２４にネジ１８１、１８２、１８３、１８４のネジ部を挿入し、図１１に示す上側収納ケース１３１の左右の逆フランジ部５１３、５１４のネジ孔５２１、５２２、５２３、５２４にネジ１８１、１８２、１８３、１８４のネジ部を螺入して締め付ける。これにより、保護パネル１７１は、窓部１１２を正面側から覆った状態で背面パネル１１１に取り付けられる。これにより、図１３に示すように、景品取得ゲーム装置１が組み立てられた状態になる。ここで、図１２に示した保護パネル１７１は透明なので、上側収納ケース１３１の収納部５０１（図１１参照）に収納された液晶モニタ１２１（図１１参照）の画面１２３（図１１参照）は、窓部１１２、保護パネル１７１及び透明な扉３５（図１参照）を介して景品取得ゲーム装置１の外側から視認可能になる。
【０１０６】
また、映像表示手段収納ケース１３０は、前記フック部１１６をネジ止め固定したネジ１１７、１１８、１１９のネジ頭の少なくとも一部を背面側から覆うので、景品取得ゲーム装置１が完全に組み立てられた状態では、ネジ１１７、１１８、１１９を外すのは不可能である。
【０１０７】
かかる構成の景品取得ゲーム装置１によれば、前記映像表示手段１２０を収納する映像表示手段収納ケース１３０は、景品取得ゲーム装置１が完全に組み立てられた状態で筐体本体１００から取り外す場合、筐体本体１００の内側からネジ止めを解除しなければならないので、映像表示手段１２０を収納する映像表示手段収納ケース１３０を筐体本体１００の背面に突出した状態でネジ止めにより取り付けるとともに、筐体本体１００の外側からの操作だけで筐体本体１００から映像表示手段収納ケース１３０が外されるのを防止でき、景品や映像表示手段の盗難を防止すること等が可能になる。これに加えて、組み立ての際に、仮止め手段のねじ１１７により前記筐体本体１００の背面側から前記背面上側枠部１１５を筐体本体１００に仮止めすることで、背面上側枠部１１５を筐体本体１００の内側からネジ止めを容易に行える。また、映像表示手段収納ケース１３０は、上側が金属製のフック部１１６と金属製の背面上側枠部１１５を介して筐体本体１００の金属製の背面上側パネル１０９に取り付けられ、下側が筐体本体１００の下側に位置する金属製の背面パネル４３０に固定されるので、上側または下側が木製の背面パネル１１１に固定する場合に比べて高い取り付け強度が得られる。
【０１０８】
また、景品取得ゲーム装置１によれば、前記背面上側枠部１１５とフック部１１６を別体で構成したので、背面上側枠部１１５とフック部１１６を容易に形成することができ、製造コストを抑制できる。
【産業上の利用可能性】
【０１０９】
本発明は、把持部に２本のアームを備えた景品取得ゲーム装置に限らず、把持部に３本等、他の本数のアームを備えた景品取得ゲーム装置にも応用することができる。
【図面の簡単な説明】
【０１１０】
【図１】図１は、本発明の一実施形態による景品取得ゲーム装置の正面図である。
【図２】図２は、本発明の一実施形態による景品取得ゲーム装置１の右側面図である。
【図３】図３は、本発明の一実施形態による景品取得ゲーム装置の背面図である。
【図４】図４は、本発明の一実施形態による景品取得ゲーム装置の上面図である。
【図５】図５は、本発明の一実施形態による景品取得ゲーム装置の回路構成を示すブロック図である。
【図６】図６は、本発明の一実施形態による本発明の一実施形態による景品取得ゲーム装置１の回路動作を示すフローチャートである。
【図７】図７は、本発明の一実施形態による景品取得ゲーム装置の背面側から見た分解斜視図である。
【図８】図８は、本発明の一実施形態による筐体本体の開口の上側及びその周囲の分解斜視図である。
【図９】図９は、本発明の一実施形態による筐体本体に背面パネル及び背面上側枠部を仮固定した状態を示す説明図である。
【図１０】図１０は、本発明の一実施形態による筐体本体にフック部を取り付けた状態を示す斜視図である。
【図１１】図１１は、本発明の一実施形態による映像表示手段収納ケースの分解斜視図である。
【図１２】図１２は、本発明の一実施形態による筐体本体に対する映像表示手段収納ケースの取り付け方法を示す説明図である。
【図１３】図１３は、本発明の一実施形態による景品取得ゲーム装置の組み立てた状態の背面側から見た斜視図である。
【図１４】図１４は、本発明の一実施形態による背面パネルの下端及びその周辺部を示す断面図である。
【図１５】図１５は、本発明の一実施形態による背面パネルの上端側及びその周辺部を示す断面図である。
【符号の説明】
【０１１１】
１…景品取得ゲーム装置、２…基台、３…収容部、４…景品、
５…景品取得部、１０…移動部、１０Ｘ…モータ、
１０Ｙ…モータ、１０Ｚ…モータ、２０…モータ、２１…操作卓、
２２…レバー、２３…釦スイッチ、２４…コイン投入口、
２５…取出口、２６…開閉扉、２６ａ…施錠手段、３１…前面、
３２、３３…側面、３４…背面、３５…開閉扉、３６…景品投入部、
３７…左右移動用固定レール、３８…前後移動用可動レール、
３９…景品取得部用基台、５１…支持部、５２…把持部、
５３…アーム、６０…制御部、６１…記憶部、６２…通信部、
６３…タイマ、６４…リミットスイッチ、１００…筐体本体、
１０１、１０２…開口、１０３…景品配置部、１０４…施錠手段、
１０５、１０６…開口、１０７、１０８…透明板、
１０９…上側パネル、１１１…背面パネル、１１２…窓部、
１１３…下側枠部、１１４…正面上側枠部、１１５…背面上側枠部、
１１６…フック部、１１７、１１８、１１９…ネジ、
１２０…映像表示手段、１２１…液晶モニタ、１２２…映像再生装置、
１２３…表示画面、１３０…映像表示手段収納ケース、
１３１…上側収納ケース、１３２…下側収納ケース、１４０…凹部、
１４１、１４２…ネジ、１６１…左側枠部、１６２…右側枠部、
１６３、１６５…ネジ、１６４、１６６…ワッシャ、
１７１…保護パネル、１８１、１８２、１８３、１８４…ネジ、
１９１、１９２、１９３、１９４…ワッシャ、
２０１、２０２、２０３…貫通孔、３０１、３０２…ネジ、
３１１、３１３…挿入孔、３１２…セルスペーサ、
３２１、３２３…セルスペーサ、３２４…垂直板状部、
３２５…折り曲げ部、３２６…水平板状部、３３１…貫通孔、
３３２、３３３…ネジ孔、３４１…垂直板状部、
３４２…折り曲げ部、３４３…水平板状部、３４４…湾曲部、
３５１、３５２、３５３…貫通孔、
４１１、４１２、４１３、４１４…貫通孔、
４２１、４２２、４２３、４２４…貫通孔、４３０…背面パネル、
４３１、４３２…貫通孔、５０１…収納部、５０２…収納部、
５０３、５０４…ネジ、５１０…扉
【図１】
2007202994.tif 000003
【図２】
2007202994.tif 000004
【図３】
2007202994.tif 000005
【図４】
2007202994.tif 000006
【図５】
2007202994.tif 000007
【図６】
2007202994.tif 000008
【図７】
2007202994.tif 000009
【図８】
2007202994.tif 000010
【図９】
2007202994.tif 000011
【図１０】
2007202994.tif 000012
【図１１】
2007202994.tif 000013
【図１２】
2007202994.tif 000014
【図１３】
2007202994.tif 000015
【図１４】
2007202994.tif 000016
【図１５】
2007202994.tif 000017